(57)【要約】【課題】照明器具の調光または電動機の速度調節の操作を行う際に、調光の状態または速度の設定度合をユーザが感覚的に知ることができる配線器具を提供する。【解決手段】配線器具１は、照明器具の調光または電動機の速度調節を行う。配線器具１は、操作部（つまみ２）と、制御部と、表示部３とを備える。操作部は、ユーザからの操作を受け付ける。制御部は、操作部に対する操作に応じて、照明器具の調光または電動機の速度調節を行う。表示部３は、光を出力する。制御部は、照明器具の調光または電動機の速度調節に連動して表示部３から出力される光の明るさ及び色度の少なくとも一方を変化させる。【選択図】図１
2018006147.tif 000002
【特許請求の範囲】
【請求項１】
照明器具の調光または電動機の速度調節を行う配線器具であって、
ユーザからの操作を受け付ける操作部と、
前記操作部に対する操作に応じて、前記照明器具の調光または前記電動機の速度調節を行う制御部と、
光を出力する表示部とを備え、
前記制御部は、
前記照明器具の調光または前記電動機の速度調節に連動して前記表示部から出力される光の明るさ及び色度の少なくとも一方を変化させる
ことを特徴とする配線器具。
【請求項２】
筐体を、さらに備え、
前記操作部は、前記筐体に対して回転する回転式のつまみであり、前記筐体の一の面に突出して設けられており、
前記表示部は、前記操作部の周囲であって前記一の面に含まれる照射領域に前記光を照射する
ことを特徴とする請求項１に記載の配線器具。
【請求項３】
前記表示部は、
光を発する光源と、
前記光源で発せられた光が入射される入射面、及び前記入射面で入射された光を前記照射領域に照射する出射面を有する導光部とを有している
ことを特徴とする請求項２に記載の配線器具。
【請求項４】
前記光源は、前記筐体内に設けられており、
前記導光部は、前記光源から発せられる光を前記照射領域に照射する
ことを特徴とする請求項３に記載の配線器具。
【請求項５】
前記制御部は、前記照明器具の光が明るくなるように調光を行うにつれ、または前記電動機の速度が速くなるように速度調節を行うにつれて、前記表示部が出力する光が明るくまたは暗くなるように前記表示部を制御する
ことを特徴とする請求項１〜４のいずれか一項に記載の配線器具。
【請求項６】
前記制御部は、前記照明器具の光が明るくなるように調光を行うにつれ、または前記電動機の速度が速くなるように速度調節を行うにつれて、前記表示部が出力する光の色度が変化するように前記表示部を制御する
ことを特徴とする請求項１〜４のいずれか一項に記載の配線器具。
【請求項７】
前記照明器具または前記電動機への電力の供給を停止する第１動作モードと、前記照明器具または前記電動機へ電力を供給する第２動作モードとを切り替えるスイッチ部を、さらに備え、
前記制御部は、
前記スイッチ部で切り替えられた動作モードに応じて前記表示部が発する光の色度を変更するように、前記表示部を制御する
ことを特徴とする請求項１〜６のいずれか一項に記載の配線器具。
【発明の詳細な説明】
【技術分野】
【０００１】
本発明は、配線器具に関し、より詳細には、照明器具の調光または電動機の速度調節を行う配線器具に関する。
【背景技術】
【０００２】
従来、照明器具を調光する調光器がある（特許文献１，２）。特許文献１で記載された調光器では、プッシュオンスイッチ付のロータリーボリュームに装着されたつまみを回すことで照明負荷を調光している。特許文献２で記載された調光器では、照明負荷の調光率を設定する回転式のボリュームを操作するために、回転操作部材がボリュームに取り付けられている。回転操作部材が回転することでボリュームが回転し、照明負荷の調光率が調節される。
【先行技術文献】
【特許文献】
【０００３】
【特許文献１】特開２００１−３０７８９１号公報
【特許文献２】特開２０１１−１５４８７０号公報
【発明の概要】
【発明が解決しようとする課題】
【０００４】
特許文献１，２の双方の調光器（配線器具）においては、上述したように、ユーザが調光器のつまみを回すことで照明負荷（照明器具）を調光している。調光率を調節する際に、ユーザが回転するつまみを見ても照明負荷の調光の状態を感覚的に知ることができない。また、電動機の速度を、ユーザがつまみを回すことで調節する場合も同様に、回転するつまみを見ても電動機の速度がどの程度に調節されているかを感覚的に知ることができない。
【０００５】
本発明は上記事由に鑑みてなされており、照明器具の調光または電動機の速度調節の操作を行う際に、調光の状態または速度の設定度合をユーザが感覚的に知ることができる配線器具を提供することを目的とする。
【課題を解決するための手段】
【０００６】
本発明の態様に係る一配線器具は、照明器具の調光または電動機の速度調節を行う。前記配線器具は、ユーザからの操作を受け付ける操作部と、前記操作部に対する操作に応じて、前記照明器具の調光または前記電動機の速度調節を行う制御部と、光を出力する表示部とを備える。前記制御部は、前記照明器具の調光または前記電動機の速度調節に連動して前記表示部から出力される光の明るさ及び色度の少なくとも一方を変化させる。
【発明の効果】
【０００７】
この発明によると、ユーザは、照明器具の調光または電動機の速度調節の操作を行う際に、調光の状態または速度の設定度合を感覚的に知ることができる。
【図面の簡単な説明】
【０００８】
【図１】図１Ａは、本発明に係る一実施形態における配線器具の斜視図であり、図１Ｂは、同上の配線器具の断面図である。
【図２】図２は、同上の配線器具の主要構成の分解図である。
【図３】図３は、同上の配線器具の構成を示す模式的なブロック図である。
【図４】図４は、同上の配線器具が有する導光部における光の光路を説明するための説明図である。
【図５】図５は、同上の配線器具が有する表示部が光を発している状態を説明するための説明図である。
【発明を実施するための形態】
【０００９】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計などに応じて種々の変更が可能である。
【００１０】
（実施形態）
本実施形態の配線器具１について、図１Ａ〜図５を用いて説明する。
【００１１】
配線器具１は、例えばロータリーボリューム（可変抵抗器）を有する器具（ディマー）であり、壁等に設けられる。配線器具１は、接続された照明器具２００のオンオフの切り替え、及び照明器具２００の調光を行う。配線器具１は、図１Ａ〜図３に示すように、つまみ２（操作部）、表示部３、つまみベース部６、ロータリーボリューム７、筐体１００及び制御部１０１を備える。なお、図１Ｂ、図２において、電子部品を備える基板等は、図示を省略している。
【００１２】
つまみ２は、照明器具２００のオンオフの切り替え、及び照明器具２００の調光の操作に用いられる。つまみ２は、内部空間２１を有する円柱状に形成され、筐体１００の一の面８ａから突出して設けられている。つまみ２は、光を透過させない非透光性の部材で形成されている。つまみ２が押されると、接続された照明器具２００のオンオフが切り替えられる。また、つまみ２が時計回りまたは反時計回りに回されると、照明器具２００の調光率が変化する。例えば、つまみ２が時計回りに回されると照明器具２００が明るくなり、反時計回りに回されると照明器具２００が暗くなる。本実施形態では、照明器具２００の調光率が最大値（例えば、調光率９７％）となるとそれ以降はつまみ２は時計回りに回らず、調光率が最小値（例えば、調光率０％）になるとそれ以降はつまみ２は反時計回りに回らない。つまり、ユーザは、つまみ２を時計回り、または反時計回りに回すことで、照明器具２００の調光率を最小値〜最大値の間で調節することができる。
【００１３】
表示部３は、導光部４と光源５とを有し、光を出力する。表示部３は、つまみ２の周囲であって筐体１００の面８ａに含まれる領域に光を照射する。以下、表示部３からの光が照射される領域を照射領域という。
【００１４】
光源５は、例えばＬＥＤ（Light Emitting Diode）であり、光を発する。光源５は、オレンジ色の光を発するＬＥＤチップ（オレンジ色ＬＥＤチップ）と、青色の光を発するＬＥＤチップ（青色ＬＥＤチップ）とを含んでいる。
【００１５】
導光部４は、透光性を有する部材であって、例えばアクリルで形成されている。導光部４は、つまみ２の内部空間２１に収納される。導光部４は、図１Ｂに示すように、外壁に爪部４ａを有している。爪部４ａをつまみ２の内壁に設けられた凹部２２に嵌めることで、つまみ２が導光部４に固定される（図１Ｂ、図４参照）。導光部４は、図１Ｂ、図３に示すように、つまみベース部６、ロータリーボリューム７の軸部７１を収納する内部空間４２を有し、径が異なる２つの円柱形状から形成されている。導光部４の構成について、図４を用いて説明する。図４は、図１Ｂの領域Ｘの要部拡大図である。導光部４は、先端部４１の表面４ｂに対向する面であって光源５で発せられた光が入射される入射面４４を有している。導光部４は、先端部４１の表面４ｂの中央に円錐形の凹部４３を有している。凹部４３の側面は、第１反射面４５であり、入射面４４で入射された光を反射する。導光部４の先端部４１の表面４ｂの外周縁には、入射面４４から表面４ｂに向うにつれて径が小さくなるテーパー形状の第２反射面４６が設けられている。導光部４の内周面には、表面４ｂに向うにつれて径が小さくなるテーパー形状の第３反射面４７が設けられている。ここで、第１反射面４５の表面４ｂに対する角度と、第２反射面４６の表面４ｂに対する角度とは等しいことが好ましい。例えば、第１反射面４５及び第２反射面４６の表面４ｂに対する角度は、４５度である。また、第３反射面４７の表面４ｂに対する角度は、第１反射面４５及び第２反射面４６の表面４ｂに対する角度と等しいことが好ましい。さらに、導光部４は、入射面４４から入射された光を、つまみ２の周囲に出射する出射面４８を有している。導光部４が入射面４４、第１反射面４５、第２反射面４６、第３反射面４７及び出射面４８を有することで、入射面４４に入射された光を出射面４８から取り出すことができる。
【００１６】
つまみベース部６は、第１開口部６１を有している。第１開口部６１には、ロータリーボリューム７の軸部７１が挿通される。導光部４は、接着、圧着等によりつまみベース部６に固定される。
【００１７】
ロータリーボリューム７の軸部７１は、透光性を有する部材で形成される。ロータリーボリューム７は、軸部７１が筐体１００の面８ａから突出した状態で筐体１００に収納される。軸部７１は、つまみベース部６の第１開口部６１に挿通される。軸部７１が第１開口部６１に挿通されることで、つまみベース部６は軸部７１に固定される。つまみベース部６が軸部７１に固定されることで、つまみ２の回転に応じてロータリーボリューム７の軸部７１を回転させることができる。ロータリーボリューム７は、軸部７１の回転角に応じて抵抗値が変化する。
【００１８】
また、ロータリーボリューム７は、プッシュスイッチ付のボリュームである。ロータリーボリューム７の軸部７１が軸部７１の軸方向に押されると、プッシュスイッチがオン状態になる。
【００１９】
ロータリーボリューム７は、上述したように、内部に光源５を備えている。ロータリーボリューム７は、軸部７１の先端部の面７ａから光源５の光を出力する。出力された光は、導光部４の入射面４４に入射される。
【００２０】
筐体１００は、制御部１０１として機能させるマイクロコンピュータ等が設けられた基板、つまみベース部６及びロータリーボリューム７等を収納する。筐体１００は、図１Ｂに示すように、第１筐体８と第２筐体９とを有している。第１筐体８と第２筐体９とが組み合われることで、１つの箱状の筐体１００が形成される。第１筐体８の面８ａは、開口部８１を有している。上述したロータリーボリューム７の軸部７１は、開口部８１から突出している。
【００２１】
配線器具１は、図３に示すように、つまみ２、表示部３、つまみベース部６、ロータリーボリューム７、筐体１００及び制御部１０１の他、電源部１０２、切替部１０３及び入力部１０４を有している。
【００２２】
電源部１０２は、商用電源２０１から電力を必要に応じて電力変換して制御部１０１に供給する。制御部１０１は、電源部１０２から電力の供給を受けることで、動作可能になる。切替部１０３は、例えばｎチャンネルＭＯＳＦＥＴ（Metal-Oxide-Semiconductor Field Effect Transistor）等の半導体素子であり、制御部１０１の制御により、照明器具２００と商用電源２０１との間を導通させたり、遮断したりする。ここで、照明器具２００と商用電源２０１との間を導通させる状態をオン状態、遮断する状態をオフ状態という。
【００２３】
入力部１０４は、ユーザによって操作されるロータリーボリューム７の抵抗値を入力値とし、抵抗値に応じた調光率を表す信号を、調光信号として制御部１０１に出力する。調光率とは、照明器具２００の光出力の大きさを指定する数値等である。
【００２４】
制御部１０１は、ユーザによるロータリーボリューム７の操作に応じて、切替部１０３を制御する。
【００２５】
制御部１０１は、配線器具１の動作モードを記憶している。動作モードには、第１動作モードと第２動作モードとがある。第１動作モードは、切替部１０３をオフ状態に固定して、照明器具２００への電力の供給を停止するモードである。第２動作モードは、ロータリーボリューム７から受け取る調光信号に応じて切替部１０３のオン状態とオフ状態とを交互に切り替えながら、照明器具２００に電力を供給するモードである。制御部１０１は、動作状態が第１動作モードである場合に、ロータリーボリューム７のプッシュスイッチがオンすると、動作モードを第１動作モードから第２動作モードに切り替え、照明器具２００への調光を行う。制御部１０１は、動作状態が第２動作モードである場合に、ロータリーボリューム７のプッシュスイッチがオンすると、動作モードを第２動作モードから第１動作モードに切り替え、切替部１０３をオフ状態に固定する。このように、ロータリーボリューム７のプッシュスイッチのオンオフに応じて、制御部１０１は動作モードを第１動作モードから第２動作モードを切り替えている。そのため、ロータリーボリューム７は、動作モードを第１動作モードから第２動作モードを切り替えるためのスイッチ部としての機能を有している。
【００２６】
制御部１０１は、配線器具１の動作モードが第１動作モードである場合には、オレンジ色ＬＥＤチップに電力が供給されるよう光源５を制御する。これにより、表示部３は、オレンジ色の光を出力することができる。制御部１０１は、配線器具１の動作モードが第２動作モードである場合には、青色ＬＥＤチップに電力が供給されるよう光源５を制御する。これにより、表示部３は、青色の光を出力することができる。
【００２７】
動作モードが第１動作モードである場合につまみ２が押される、つまりロータリーボリューム７のプッシュスイッチがオンすると、制御部１０１は、逆位相制御による照明器具２００の調光を開始する。逆位相制御とは、調光信号に基づいて、切替部１０３をオフ状態とする位相角であって商用電源２０１のゼロクロス時点からの位相角を求めて、ゼロクロス時点では切替部１０３をオン状態とし、求めた位相角で切替部１０３をオフ状態にする制御である。つまみ２（ロータリーボリューム７）が時計回りに回されると、位相角は大きくなる。つまみ２（ロータリーボリューム７）が反時計回りに回されると、位相角は小さくなる。位相角が大きくなると切替部１０３がオン状態となる時間が長くなり、結果として照明器具２００の光が明るくなる。逆に位相角が小さくなると切替部１０３がオン状態となる時間が短くなり、結果として照明器具２００の光が暗くなる。
【００２８】
制御部１０１は、照明器具２００の調光（逆位相制御）と連動して、光源５が発する光の明るさを調節（変更）する。制御部１０１は、光源５が発する光の明るさが調光率に応じた明るさとなるように、光源５を制御する。具体的には、制御部１０１は、位相角と、光の明るさのレベルとを対応付けたテーブルを有している。制御部１０１は、調光率に基づいて求められた位相角に対応する明るさのレベルをテーブルから取得して、取得した明るさのレベルで光を発するように、光源５に供給される電力量を調節する。なお、制御部１０１は、光源５の制御を上述したテーブルを用いて行う代わりに、入力として位相角を与えると明るさのレベルを出力する関数を用いて行ってもよい。
【００２９】
制御部１０１は、位相角が大きくなるにつれて、つまり照明器具２００の光が明るくなるように調光を行うにつれて、光源５からの光出力を大きくする。制御部１０１は、位相角が小さくなるにつれて、つまり照明器具２００の光が暗くなるように調光を行うにつれて、光源５からの光出力を小さくする。これにより、照明器具２００の光が明るくなるにつれて光源５で発せられる光は明るくなり、照明器具２００の光が暗くなるにつれて、光源５で発せられる光は暗くなる。したがって、制御部１０１は、つまみ２の回転に応じて光源５（ＬＥＤ）の明るさを変化させることができる。
【００３０】
次に、光源５からの光の光路について、図４を用いて説明する。図４では、説明の都合上、ハッチングは省略している。本実施形態では、第１反射面４５、第２反射面４６及び第３反射面４７のそれぞれの表面４ｂに対する角度を４５度とする。図４に記載している２点鎖線が光の光路を表している。
【００３１】
光源５から発せられた光は、入射面４４から導光部４に入射される。例えば、光源５からの光は、入射面４４に対して垂直に入射される。光は屈折することなく第１反射面４５に向う。第１反射面４５に向った光は、第１反射面４５の法線に対して４５度で第１反射面４５に入射する。第１反射面４５に入射した光は、第１反射面４５の法線に対して４５度で反射して第２反射面４６に向う。このとき、第１反射面４５で反射した光（第２反射面４６に向う光）は、入射面４４に入射される光と垂直の関係にある。第２反射面４６に向う光は、第２反射面４６の法線に対して４５度で第２反射面４６に入射する。第２反射面４６に入射した光は、第２反射面４６の法線に対して４５度で反射して第３反射面４７に向う。このとき、第２反射面４６で反射した光（第３反射面４７に向う光）は、入射面４４に入射される光と平行の関係にある。第３反射面４７に向う光は、第３反射面４７の法線に対して４５度で第３反射面４７に入射する。第３反射面４７に入射した光は、第３反射面４７の法線に対して４５度で反射して出射面４８に向う。このとき、第３反射面４７で反射した光（出射面４８に向う光）は、入射面４４に入射される光と垂直の関係にある。出射面４８から出射された光は拡散され、出射された光の少なくとも一部が、照射領域１１０に照射される（図５参照）。これにより、導光部４は、照射領域１１０に光源５からの光を照射することができる。
【００３２】
光源５から発せられた光が上述した光路を辿ることにより、表示部３は、図５に示すように、つまみ２を中心としたリング状の領域である照射領域１１０に、光源５からの光を照射する。ユーザは、正面から配線器具１を見た場合、表示部３から発せられる光を直接見るのではなく、照射領域１１０で反射した光を見ることになる。このとき、正面から配線器具１を見ると、つまみ２の周囲が光っているように見える。そして、光源５からの光は面８ａで拡散反射しているので、間接照明のように柔らかい印象をユーザに与えることができる。また、表示部３からの光を直接見る場合と比較して光のまぶしさは低減される。
【００３３】
すなわち、表示部３は、図５に示すように、つまみ２を中心としたリング状の領域である照射領域１１０に、光源５からの光を照射している。ユーザは、光源５からの光が照射領域１１０で反射された光（反射光）を見る。つまり、ユーザは、柔らかい光を見ることができる。そのため、部屋の雰囲気作りに有効である。
【００３４】
また、照明器具２００の調光率に応じて、光源５から発せられる光の明るさが変更される。そのため、ユーザは、光源５から発せられる光の明るさにより、照明器具２００の調光の状態を把握することができる。例えば、配線装置１が廊下に設置されている場合のように、配線器具１と照明器具２００とが同一の空間に設置されておらず配線器具１の操作中に照明器具２００を見ることができない場合にも有効である。
【００３５】
また、照明器具２００の調光率と、光源５の明るさとが比例関係にある場合には、照明器具２００の調光率が２倍になれば、光源５の明るさも２倍になる。これにより、照明器具２００が設けられた空間が明るい中では照射領域１１０は明るく光り、部屋が暗い中では暗く光るので、反射光の視認性を保つことができる。
【００３６】
以下に、上記実施形態の変形例について列記する。なお、以下に説明する変形例は、上記実施形態と適宜組み合わせて適用可能である。
【００３７】
上記実施形態において、制御部１０１は、逆位相制御により照明器具２００の調光を行うとしたが、この制御方法に限定されない。制御部１０１は、正位相制御により照明器具２００の調光を行ってもよい。正位相制御とは、調光信号に基づいて、商用電源２０１のゼロクロス時点から切替部１０３をオン状態とする位相角を求めて、ゼロクロス時点では切替部１０３をオフ状態とし、求めた位相角でオン状態にする制御である。ロータリーボリューム７が時計回りに回されると、切替部１０３をオン状態とする位相角は小さくなる。つまみ２（ロータリーボリューム７）が反時計回りに回されると、切替部１０３をオン状態とする位相角は大きくなる。位相角が大きくなると切替部１０３がオン状態となる時間が短くなり、照明器具２００へ供給される電力量が少なくなるので、結果として照明器具２００の光が暗くなる。逆に位相角が小さくなると切替部１０３がオン状態となる時間が長くなり、照明器具２００へ供給される電力量が多くなるので、結果として照明器具２００の光が明るくなる。この場合、制御部１０１は、正位相制御と連動して、光源５が発する光の明るさを調節（変更）する。制御部１０１は、切替部１０３をオン状態とする位相角が大きくなると、光源５の光出力を小さくする。制御部１０１は、切替部１０３をオン状態とする位相角が小さくなると、光源５の光出力を大きくする。
【００３８】
上記実施形態において、配線器具１は、ロータリーボリューム７を有する構成としたが、この構成に限定されない。配線器具１は、スライダ式のボリューム（可変抵抗器）を有する構成であってもよい。または、配線器具１はロータリーエンコーダを有する構成であってもよい。配線器具１がロータリーエンコーダを有する場合、つまみ２を操作して照明器具２００の調光率が最大値となるとそれ以上、つまみ２を時計回りに回しても照明器具２００は明るくならず、調光率が最小値になるとそれ以上、つまみ２を反時計回りに回しても暗くならない。ロータリーエンコーダを用いた場合、必ずしもつまみの位置と調光率とが対応するとは限らない。そのため、照明器具の調光率に応じて光源５からの光の明るさを変化させることで、照明器具２００の調光率を感覚的に知ることは特に有用である。
【００３９】
上記実施形態では、配線器具１をディマーとして説明した。電動機の速度を調節するレギュレータに上述した配線器具１の機能を適用してもよい。この場合、配線器具１（レギュレータ）は、上記実施形態と同様にロータリーボリュームを有している。レギュレータの制御部１０１は、ロータリーボリュームの抵抗値に応じた電動機の速度を表す信号（速度信号）を受け付け、受け付けた速度信号に応じて電動機の速度を調節する。レギュレータの制御部１０１は、電動機の速度調節と連動して、光源５が発する光の明るさを調節（変更）する。レギュレータの制御部１０１は、光源５が発する光の明るさが速度信号に基づいて求められた速度に応じた明るさとなるように、光源５を制御する。具体的には、レギュレータの制御部１０１は、速度と、光の明るさのレベルとを対応付けたテーブルを有している。レギュレータの制御部１０１は、速度信号に基づいて求められた速度に対応する明るさのレベルをテーブルから取得して、取得した明るさのレベルで光を発するように光源５に供給される電力量を調節する。なお、テーブルの代わりに、入力として速度を与えると明るさのレベルを出力する関数を用いてもよい。例えば、レギュレータの制御部１０１は、電動機の速度が速くなるにつれて光源５が発する光を明るく、遅くなるにつれて光源５が発する光を暗くするように光源５を制御する。または逆に、レギュレータの制御部１０１は、電動機の速度が速くなるにつれて光源５が発する光を暗く、遅くなるにつれて光源５が発する光を明るくするように光源５を制御する。
【００４０】
上記実施形態において、配線器具１は、つまみ２の周囲を含む領域を表示部３によって照らす構成としたが、この構成に限定されない。配線器具１は、つまみ２の周囲を含む領域とは別の領域を表示部３によって照らしてもよい。例えば、配線器具１は、筐体１００の側面（つまみ２が配置された面に垂直な面）を照らしてもよい。
【００４１】
上記実施形態において、配線器具１は、照明器具２００の調光率に応じて光源５の明るさを変更する構成としたが、この構成に限定されない。配線器具１は、照明器具２００の調光率に応じて光源５の色度（色合い）を変更してもよい。この場合、光源５は、互いに色が異なる複数のＬＥＤチップを有している。複数のＬＥＤチップのうち２つ以上のＬＥＤチップを組み合わせることで、色度を変更することができる。例えば、光源５は、赤色のＬＥＤチップ、緑色のＬＥＤチップ及び青色のＬＥＤチップを有している。配線器具１は、これら３色のうち１つの色または２つ以上の色を組み合わせて、照明器具２００が明るくなるにつれて、光源５から発する光の色を青色から黄色に徐々に変化させることができる。逆に、配線器具１は、照明器具２００が暗くなるにつれて、光源５から発する光の色を黄色から青色に徐々に変化させることができる。または、光源５は、青色の光を発するＬＥＤチップと黄色蛍光体とを有する白色系ＬＥＤモジュールであってもよい。この場合、ＬＥＤチップの光出力を調節することで、青色光と黄色光との比率を変化させ、色度を変化させることができる。また、配線器具１は、照明器具２００の調光率に応じて光源５の明るさと色度（色合い）との双方を変更してもよい。
【００４２】
上記実施形態において、配線器具１は、照明器具２００が明るくなるにつれて、光源５が発する光を明るくする構成としたが、この構成に限定されない。配線器具１は、照明器具２００が明るくなるにつれて、光源５が発する光を暗くしてもよい。
【００４３】
上記実施形態において、照明器具２００がオフ状態である場合に光源５が発する光の色をオレンジ色とし、照明器具２００がオン状態である場合に光源５が発する光の色を青色とした。上記実施形態における照明器具２００のオンオフ状態に応じて光源５が発する光の色は一例であり、他の色であってもよい。照明器具２００がオフ状態である場合に光源５が発する光の色と、照明器具２００がオン状態である場合に光源５が発する光の色とが、異なる色であることが好ましい。照明器具２００のオンオフ状態に応じて光源５が発する光の色を異ならせることで、ユーザは照明器具２００がオン状態（点灯状態）であるのかオフ状態（消灯状態）であるのかを識別することができる。
【００４４】
上記実施形態では、配線器具１を正面から見た場合には表示部３が発する光を直接見ることができない構成とした。しかしながら、この構成に限定されない。配線器具１を正面から見た場合には表示部３が発する光を直接見る構成であってもよい。ただし、上述したように、部屋の雰囲気作り等のデザインの観点からすると、表示部３が発する光を照射領域１１０に照射する構成の方がより好ましい。
【００４５】
上記実施形態において、導光部４は、アクリルで形成されるとしたが、この構成に限定されない。導光部４は、内部に入射された光を反射させて外部に導く光路を形成することができる部材で形成されていればよい。
【００４６】
上記実施形態では、ロータリーボリューム７に、動作モードを第１動作モードから第２動作モードを切り替えるためのスイッチとしての機能を持たせたが、当該機能は、他の構成部品に持たせてもよい。例えば、配線器具１に別途ボタンを設けて、当該ボタンを押すことで、動作モードを第１動作モードから第２動作モードが切り替えられてもよい。
【００４７】
上記実施形態において、出射面４８は、拡散性を有する面であってもよい。これにより、照射領域１１０に照射される光源５からの光の量を多くすることができる。
【００４８】
上記実施形態において、配線器具１は、導光部４を用いて光源５からの光をつまみ２の周囲に照射する構成であったが、この構成に限定されない。配線器具１は、つまみ２の周囲の領域であって面８ａの一部の領域に光を照射する構成であればよい。例えば、リング状の光源を用いてつまみ２の周囲の領域（照射領域）に光を照射してもよい。ただし、コスト面に鑑みると、導光部４を用いて光源５からの光をつまみ２の周囲に照射する構成の方がより好ましい。
【００４９】
上記実施形態において、つまみ２の形状は円柱状としたが、形状はこれに限定されない。他の形状（例えば、角柱形状）であってもよい。この場合、配線器具１は、つまみ２の形状の周囲であって面８ａの一部の領域に、光源５からの光を照射する。
【００５０】
上記実施形態において、導光部４に設けられた第３反射面４７の表面４ｂに対する角度は、第１反射面４５及び第２反射面４６の表面４ｂに対する角度と等しい構成とした。しかしながら、この構成に限定されない。第３反射面４７の表面４ｂに対する角度は、第１反射面４５及び第２反射面４６の表面４ｂに対する角度と異なってもよい。例えば、第３反射面４７の表面４ｂに対する角度は、第１反射面４５及び第２反射面４６の表面４ｂに対する角度よりも大きくてもよい。この場合、第３反射面４７の入射角は４５度よりも大きくなる。そのため、反射角も４５度より大きくなる。つまり、入射角及び反射角が４５度の場合（上記実施形態の場合）と比較すると、第３反射面４７で反射された光は、面８ａの方に傾いている。空気の屈折率は１で、アクリルの屈折率は約１．５である。そのため、面８ａの方に傾いた光が出射面４８入射されると、出射面４８から出力される光は、第３反射面４７で反射された光よりもさらに面８ａの方に傾く。したがって、照射領域１１０を照らす光の量は上記実施形態の場合と比較して多くなるので、ユーザが配線器具１を正面から見た場合によりはっきりと光を認識することができる。
【００５１】
（まとめ）
以上説明したように、本発明に係る第１の態様の配線器具１は、照明器具２００の調光または電動機の速度調節を行う。配線器具１は、操作部（つまみ２）と、制御部１０１と、表示部３とを備える。操作部は、ユーザからの操作を受け付ける。制御部１０１は、操作部に対する操作に応じて、照明器具２００の調光または電動機の速度調節を行う。表示部３は、光を出力する。制御部１０１は、照明器具２００の調光または電動機の速度調節に連動して表示部３から出力される光の明るさ及び色度の少なくとも一方を変化させる。
【００５２】
この構成によると、配線器具１は、照明器具２００の調光または電動機の速度調節に応じて表示部３が発する光の明るさ及び色度のうち少なくとも一方を変化させる。そのため、ユーザは、照明器具２００の調光または電動機の速度調節の度合を表示部３が発する光により確認することができる。つまり、照明器具２００の調光または電動機の速度調節の操作を行う際において、ユーザは、照明器具２００の調光の状態または電動機の速度の度合を感覚的に知ることができる。
【００５３】
本発明に係る第２の態様の配線器具１は、第１の態様において、筐体１００を、さらに備える。操作部は、筐体１００に対して回転する回転式のつまみ２であり、筐体１００の一の面８ａに突出して設けられている。表示部３は、操作部の周囲であって当該一の面８ａに含まれる照射領域１１０に光を照射する。この構成によると、配線器具１は、表示部３で発せられる光を間接照明によりつまみ２の周囲を照らすので、まぶしさを低減することができる。
【００５４】
本発明に係る第３の態様の配線器具１では、第２の態様において、表示部３は、光を発する光源５と、導光部４とを有している。導光部４は、光源５で発せられた光が入射される入射面４４、及び入射面４４で入射された光を照射領域１１０に照射する出射面４８を有する。この構成によると、配線器具１は、光源５で発せられた光を効率よく照射領域１１０へ導光することができる。
【００５５】
本発明に係る第４の態様の配線器具１では、第３の態様において、光源５は、筐体１００内に設けられている。導光部４は、光源５から発せられる光を照射領域１１０に照射する。この構成によると、配線器具１は、内部で発光された光を効率よく外部へ導光することができる。
【００５６】
本発明に係る第５の態様の配線器具１では、第１〜第４のいずれかの態様において、制御部１０１は、照明器具２００の光が明るくなるように調光を行うにつれて、表示部３が出力する光が明るくまたは暗くなるように表示部３を制御する。または、制御部１０１は、電動機の速度が速くなるように速度調節を行うにつれて、表示部３が出力する光が明るくまたは暗くなるように表示部３を制御する。この構成によると、配線器具１は、照明器具２００の調光または電動機の速度調節に応じて、表示部３で出力される光を明るくまたは暗くすることができる。例えば、照明器具２００の調光に応じて、表示部３で出力される光を明るくまたは暗くすることで、配線器具１が設けられた空間の雰囲気に調和させることができる。
【００５７】
本発明に係る第６の態様の配線器具１では、第１〜第４のいずれかの態様において、制御部１０１は、照明器具２００の光が明るくなるように調光を行うにつれて、表示部３が出力する光の色度が変化するように表示部３を制御する。または、制御部１０１は、電動機の速度が速くなるように速度調節を行うにつれて、表示部３が出力する光の色度が変化するように表示部３を制御する。この構成によると、配線器具１は、照明器具２００の調光または電動機の速度の度合に応じて、表示部３で出力される光の色度（色合い）を変更することができる。表示部３で出力される光の色度（色合い）を変更することで、照明器具２００の調光により照明器具の明るさが変化していることをユーザに認識させることができる。また、表示部３で出力される光の色度（色合い）を変更することで、電動機の速度調節により電動機の速度が変化していることをユーザに認識させることができる。
【００５８】
本発明に係る第７の態様の配線器具１は、第１〜第６のいずれかの態様において、第１動作モードと第２動作モードとを切り替えるスイッチ部（ロータリーボリューム７）を、さらに備える。第１動作モードは、照明器具２００または電動機への電力の供給を停止するモードである。第２動作モードは、照明器具２００または電動機へ電力を供給するモードである。制御部１０１は、スイッチ部で切り替えられた動作モードに応じて表示部３が発する光の色度を変更するように、表示部３を制御する。この構成によると、配線器具１は、自器の動作状態を、表示部３で出力される光によってユーザに識別させることができる。
【符号の説明】
【００５９】
１    配線器具
２    つまみ（操作部）
３    表示部
４    導光部
５    光源
７    ロータリーボリューム（スイッチ部）
８ａ    面
４４    入射面
４８    出射面
１００    筐体
１０１    制御部
１１０    照射領域
２００    照明器具
【図１】
2018006147.tif 000003
【図２】
2018006147.tif 000004
【図３】
2018006147.tif 000005
【図４】
2018006147.tif 000006
【図５】
2018006147.tif 000007